(57)【要約】【課題】従来のホルダーよりも小型であり、取り付け作業及び取り外し作業が簡易であり、そして内部構造が複雑ではなく、更に歯科用工具の配置位置を微調整することが可能であるホルダーを提供する。【解決手段】ホルダー１０は、ホルダー本体１と押ボタン３と付勢手段４とを含み、（Ａ）前記ホルダー本体１が、（１）ヘッド部２５と、（２）そのヘッド部２５に設けられた収容部１３と、（３）歯科用工具の把持部を挿通するための上側貫通孔と、（４）歯科用工具の把持部を挿通するための下側貫通孔とを含むこと；（Ｂ）前記押ボタン３が、（１）歯科用工具の把持部を挿通するための内側貫通孔を含むこと、及び（２）前記ヘッド部２５の収容部１３に収容され、そして、前記ヘッド部２５の軸方向に沿って移動可能であること；（Ｃ）前記付勢手段４が、（１）前記ホルダー本体１のヘッド部２５の前方端部に向かって前記押ボタン３を付勢することを特徴とする。【選択図】図２
2019162286.tif 000002
【特許請求の範囲】
【請求項１】
ホルダー本体と押ボタンと付勢手段とを含むホルダーであって、
（Ａ）前記ホルダー本体が、
（１）ヘッド部と、
（２）そのヘッド部の前方端部から後方側に向かって設けられた収容部と、
（３）歯科用工具の把持部を挿通するために、前記ヘッド部の上側外表面から前記収容部の収容面にわたって設けられた上側貫通孔と、
（４）歯科用工具の把持部を挿通するために、前記ヘッド部の下側外表面から前記収容部の収容面にわたって設けられた下側貫通孔と
を含むこと；
（Ｂ）前記押ボタンが、
（１）歯科用工具の把持部を挿通するために、前記押ボタンの本体部の上側外表面から下側外表面にわたって設けられた内側貫通孔を含むこと、及び
（２）前記ヘッド部の収容部に収容され、そして、前記ヘッド部の軸方向に沿って移動可能であること；
（Ｃ）前記付勢手段が、
（１）前記ヘッド部の収容部に収容され、前記ホルダー本体のヘッド部の前方端部に向かって前記押ボタンを付勢すること；
（Ｄ）前記押ボタンに対して外力が加えられていない状態では、歯科用工具の把持部の半径方向の断面形状が、前記上側貫通孔、前記内側貫通孔、及び前記下側貫通孔同士を連絡させることによって形成される連絡路の半径方向の断面形状よりも小さくなり、これによって歯科用工具の把持部が前記連絡路に挿通されないこと；
（Ｅ）前記付勢手段に逆らって押ボタンを押し込むことによって、前記連絡路の半径方向の断面形状が、歯科用工具の把持部の半径方向の断面形状と同一であるか又は大きくなり、これによって歯科用工具の把持部が前記連絡路に挿通可能となること；及び
（Ｆ）前記歯科用工具を前記連絡路に挿通させた状態で前記押ボタンに対する外力を解除することによって、前記上側貫通孔の内周面と前記内側貫通孔の内周面とによって歯科用工具の把持部の一方の側を固定し、更に前記下側貫通孔の内周面と前記内側貫通孔の内周面とによって歯科用工具の把持部の他方の側を固定できること；
を特徴とする、前記ホルダー。
【請求項２】
前記ホルダーを歯科用ハンドピース本体に取り付けた状態において、前記ハンドピース本体の中心軸と前記押ボタンの中心軸とで形成される角度が、１５°〜２５°、特には略２０°である、請求項１に記載のホルダー。
【請求項３】
前記ホルダー本体のヘッド部にストッパーが着脱可能に設けられている、請求項１又は２に記載のホルダー。
【請求項４】
固定具を更に含み、その固定具を使用して前記ストッパーが着脱可能に設けられ、更に、前記固定具の先端が、前記押ボタンに設けられた固定具用収納部に収納されている、請求項３に記載のホルダー。
【発明の詳細な説明】
【技術分野】
【０００１】
本発明は、振動発生装置を内蔵した歯科用ハンドピース本体の前端に取付けて使用され、歯科用工具を保持するためのホルダー（特には、押ボタン式ホルダー）に関する。
【背景技術】
【０００２】
従来から、図１１に示すような歯科用の押ボタン式ホルダー８０が知られている（例えば、特許文献１の図１〜図３参照）。ここで、図１１（ａ）は、押ボタン式ホルダー８０と、把持部８７ａ及び刃部８７ｂから構成される歯科用工具８７とを上側から観察した斜視図であり、図１１（ｂ）は、押ボタン式ホルダー８０の右側面図であり、そして、図１１（ｃ）は、図１１（ｂ）に示す押ボタン式ホルダーのＡ−Ａ’線の断面図である。
この押ボタン式ホルダー８０は、図１１（ｃ）に示すように、ホルダー本体８１と、ホルダー本体８１の軸方向（すなわち、図１１（ｃ）の矢印Ｂ）に対して操作方向が垂直（すなわち、図１１（ｃ）の矢印Ｃ）となるように配置された押ボタン８２と、その押ボタン８２がホルダー本体８１から飛び出す方向に付勢するためのバネ８３と、バネ８３の付勢力によって押ボタン８２がホルダー本体８１から飛び出さないようにするための押ボタン用固定具８４とを備えており、そして、ホルダー本体８１及び押ボタン８２には、それぞれ、歯科用工具８７の把持部８７ａを挿通するための貫通孔８５が設けられている。
図１１に示す押ボタン式ホルダー８０の場合には、その押ボタン式ホルダー８０への歯科用工具８７の取り付け作業又は取り外し作業は、ホルダー本体８１の軸方向に対して垂直方向に押ボタン８２を押すことによって行われている。
【０００３】
上記の歯科用の押ボタン式ホルダー８０以外にも、例えば、特許文献２に記載の保持手段９０も知られている。この保持手段９０の内部構造の主要部分を模式的に示した図を図１２に示す。ここで、図１２（ａ）は、軸部９８ａと刃部９８ｂとから構成される歯科用工具９８を保持手段９０に取り付ける前の状態における、保持手段９０の右側面断面図及び歯科用工具９８の右側面図であり、そして、図１２（ｂ）は、歯科用工具９８を保持手段９０に取り付けた状態における、保持手段９０及び歯科用工具９８の右側面断面図である。
この保持手段９０は、振動部９１と、振動部９１の外周面に設けられた可動部材（スリーブ）９２と、歯科用工具９８の軸部９８ａの挿入先端側に設けられた球状体９８ｅと可動部材９２とを一体化させるための円錐状の凹部９３と、振動部９１の工具用差込孔９４を挟むように設けられた２個のロッキング部９５と、そのロッキング部９５を工具用差込孔９４の軸方向に向かって（すなわち、図１２（ａ）の矢印Ｄの方向に）付勢するための２個のばね９６とを備えている。更に、歯科用工具９８を保持手段９０に取り付け又は取り外すことを可能にするために、歯科用工具９８の軸部９８ａには、環状溝９８ｃと凹部９８ｄとその凹部９８ｄに収納された球状体９８ｅが設けられている。更に、歯科用工具９８の内部には、図１２（ｂ）に示すように、媒体用（冷却液用）通路９８ｆが設けられている。
図１２に示す保持手段９０の場合には、振動部９１への歯科用工具９８の取り付けは、振動部９１の工具用差込孔９４に歯科用工具９８を単に差し込むことによって行われ、そして、振動部９１からの歯科用工具９８の取り外しは、可動部材９２を振動部９１の軸方向（すなわち、図１２（ｂ）の矢印Ｅ）に対して平行に移動（スライド）させることによって行われる。なお、この取り外し作業では、保持手段９０の可動部材９２と、保持手段９０の円錐状の凹部９３と、歯科用工具９８の球状体９８ｅとが主に使用されている。
【先行技術文献】
【特許文献】
【０００４】
【特許文献１】特開平５−３４４９８３号公報
【特許文献２】特開平１１−２２１２３３号公報
【発明の概要】
【発明が解決しようとする課題】
【０００５】
図１１に示す歯科用の押ボタン式ホルダーでは、狭い口腔内での歯科用ハンドピースの操作性を向上させるためにホルダーを更に小型化する要求が依然として存在し、更に、施術者の作業負担を軽減するためにホルダーへの歯科用工具の取り付け作業及び取り外し作業を簡易化する要求も依然として存在する。
【０００６】
図１２に示す保持手段では、保持手段及び歯科用工具の構造が複雑となってしまう欠点がある。具体的には、上述したように、保持手段には、少なくとも、２個のロッキング部と２個のばねと可動部材に設けられた凹部とが必要となり、更に、歯科用工具には、環状溝、凹部、球状体、及び媒体用通路が必要となる。
更に、図１２に示す保持手段では、保持手段に設けられたロッキング部と歯科用工具に設けられた環状溝とを係合させると伴に、歯科用工具に設けられた球状体と保持手段に設けられた可動部材９２とを円錐状の凹部を介して一体化させる必要があるので、歯科用工具は、保持手段における一定の場所に常に保持されることになる。すなわち、歯科用工具の配置位置を微調整することができないという欠点がある。
【０００７】
本発明者は、従来のホルダーよりも小型であり、取り付け作業又は取り外し作業が簡易であり、そして内部構造が複雑ではなく、更に歯科用工具の配置位置を微調整することが可能であるホルダーを鋭意検討していたところ、そのような要求を全て満たすホルダーを開発することに成功した。更に、本発明のホルダーに取り付けられる歯科用工具には、図１２に示す保持手段とは異なり、環状溝、凹部、及び媒体用通路を設ける必要が無い。
【課題を解決するための手段】
【０００８】
前記の課題は、本発明による、ホルダー本体と押ボタンと付勢手段とを含むホルダーであって、
（Ａ）前記ホルダー本体が、
（１）ヘッド部と、
（２）そのヘッド部の前方端部から後方側に向かって設けられた収容部と、
（３）歯科用工具の把持部を挿通するために、前記ヘッド部の上側外表面から前記収容部の収容面にわたって設けられた上側貫通孔と、
（４）歯科用工具の把持部を挿通するために、前記ヘッド部の下側外表面から前記収容部の収容面にわたって設けられた下側貫通孔と
を含むこと；
（Ｂ）前記押ボタンが、
（１）歯科用工具の把持部を挿通するために、前記押ボタンの本体部の上側外表面から下側外表面にわたって設けられた内側貫通孔を含むこと、及び
（２）前記ヘッド部の収容部に収容され、そして、前記ヘッド部の軸方向に沿って移動可能であること；
（Ｃ）前記付勢手段が、
（１）前記ヘッド部の収容部に収容され、前記ホルダー本体のヘッド部の前方端部に向かって前記押ボタンを付勢すること；
（Ｄ）前記押ボタンに対して外力が加えられていない状態では、歯科用工具の把持部の半径方向の断面形状が、前記上側貫通孔、前記内側貫通孔、及び前記下側貫通孔同士を連絡させることによって形成される連絡路の半径方向の断面形状よりも小さくなり、これによって歯科用工具の把持部が前記連絡路に挿通されないこと；
（Ｅ）前記付勢手段に逆らって押ボタンを押し込むことによって、前記連絡路の半径方向の断面形状が、歯科用工具の把持部の半径方向の断面形状と同一であるか又は大きくなり、これによって歯科用工具の把持部が前記連絡路に挿通可能となること；及び
（Ｆ）前記歯科用工具を前記連絡路に挿通させた状態で前記押ボタンに対する外力を解除することによって、前記上側貫通孔の内周面と前記内側貫通孔の内周面とによって歯科用工具の把持部の一方の側を固定し、更に前記下側貫通孔の内周面と前記内側貫通孔の内周面とによって歯科用工具の把持部の他方の側を固定できること；
を特徴とする、前記ホルダーによって解決することができる。
【０００９】
本発明によるホルダーの好ましい態様によれば、前記ホルダーを歯科用ハンドピース本体に取り付けた状態において、前記ハンドピース本体の中心軸と押ボタンの中心軸とで形成される角度が、１５°〜２５°、特には略２０°である。
【００１０】
本発明によるホルダーの別の好ましい態様によれば、前記ホルダー本体のヘッド部にストッパーが着脱可能に設けられている。
【００１１】
本発明によるホルダーの別の好ましい態様によれば、固定具を更に含み、その固定具を使用して前記ストッパーが着脱可能に設けられ、更に、前記固定具の先端が、前記押ボタンに設けられた固定具用収納部に収納されている。
【００１２】
本明細書において、位置関係を示す用語（例えば、前方端部、前方側、後方端部、後方側、上側、下側、及び下方）は、特に断らない限り、ハンドピースを通常の方法で使用している状態での位置関係について用いるものとする。具体的には、歯科用ハンドピース本体に本発明によるホルダーを取り付けて、更にそのホルダーに歯科用工具を取り付けた状態において、ホルダーが存在する方向が前方であり、歯科用ハンドピース本体が存在する方向が後方であり、そして、歯科用工具が存在する方向が下方である。
【発明の効果】
【００１３】
本発明によるホルダーは、従来のホルダーよりも小型であり、従来のホルダーよりも取り付け作業又は取り外し作業が簡易であり、内部構造が複雑ではなく、そして歯科用工具の配置位置を微調整することが可能である。更に、本発明のホルダーに取り付けられる歯科用工具には、歯科用工具の把持部に環状溝を取り付けたり、歯科用工具全体に媒体用通路を設けたりする必要が無い。
【図面の簡単な説明】
【００１４】
【図１】本発明によるホルダー、歯科用ハンドピース本体、及び工具を上側から観察した斜視図である。
【図２】本発明によるホルダーの分解斜視図である。
【図３】ストッパーをホルダー本体のヘッド部に取り付ける工程を示す斜視図である。
【図４】図２に示す各部品の一部切欠き側面断面図である。
【図５】外力を加えない状態での一部切欠き側面断面図である。
【図６】図５に示すホルダーのＡ−Ａ’線断面図である。
【図７】押ボタンを最大限押し込んだ状態での一部切欠き側面断面図である。
【図８】上側貫通孔、内側貫通孔、及び下側貫通孔によって形成される連絡路の説明図である。
【図９】連絡路によって歯科用工具を保持する方法の説明図である。
【図１０】本発明によるホルダーと従来の押ボタン式ホルダーとを比較するための説明図である。
【図１１】従来の押ボタン式ホルダーの説明図である。
【図１２】従来の保持手段の説明図である。
【発明を実施するための形態】
【００１５】
以下、本発明によるホルダーを添付図面に沿って説明するが、本発明はこの添付図面に示す態様に限定されるものではない。
【００１６】
図１は、本発明によるホルダー１０、歯科用ハンドピース本体５０、及び歯科用工具５２を上側から観察した斜視図であり、図２は、本発明によるホルダー１０の分解斜視図であり、そして、図３は、ストッパー４０をホルダー本体１０のヘッド部２５に取り付ける工程を示す斜視図である。図４は、図２に示す各部品の一部切欠き側面断面図である。
【００１７】
本発明によるホルダー１０は、図１に示すように、振動発生装置を内蔵した歯科用ハンドピース本体５０の前方端部に取付けて使用され、把持部５３と刃部５４とを含む歯科用工具５２を保持するためのものである。歯科用ハンドピース本体５０で発生させた振動は、本発明のホルダー１０を介して、歯科用工具５２に伝達される。
【００１８】
本発明のホルダー１０は、図２に示すように、主に、ホルダー本体１と、押ボタン３と、付勢手段４（例えば、コイル状バネ）と、固定具４２（例えば、雄ネジ）とを含む。
根尖穿孔などの事故を防止する必要がある場合には、略Ｕ字状のストッパー４０をホルダー本体１に更に取り付けることもできる。
なお、これらの部品は、公知の材料を使用して形成することができる。
ホルダー本体１は、ネック部２６と、そのネック部２６の前方端部に設けられたヘッド部２５と、そのネック部２６の後方端部に設けられた連結部２７とを含む。なお、連結部２７は、図１に示す歯科用ハンドピース本体５０の前方端部に取付けるためのものである。
押ボタン３は、略円柱状の押ボタン本体部３０と、押ボタン本体部３０の前方端部に設けられた円盤状の押込操作部３２とを含む。押ボタン３及び付勢手段４は、収容面が略円柱状である押ボタン用収容部１３に収容される。なお、この押ボタン用収容部１３は、ホルダー本体１のヘッド部２５の前方端部から後方側に向かって設けられている。
【００１９】
ストッパー４０をホルダー本体１に取り付ける必要がある場合には、押ボタン３及び付勢手段４をヘッド部２５の押ボタン用収容部１３に収容した後に、図３に示すように、ホルダー本体１のヘッド部２５の下方部にストッパー４０を取り付ける。具体的には、ストッパー４０のアーム部同士４１，４１の間に存在する空間に固定具４２の挿入部４３（例えば、ネジ部）を差し込み、次に、ヘッド部２５の下方部と固定具４２のヘッド部４４とによってストッパー４０のアーム部４１，４１を挟み込むことによって、ストッパー４０をヘッド部２５に取り付けることができる。固定具４２を緩めたり締めたりすることによって、ストッパー４０を簡易に着脱することができる。
【００２０】
ホルダー本体１のヘッド部２５には、図４に示すように、押ボタン３を収容するための押ボタン用収容部１３が設けられている。押ボタン用収容部１３は、具体的には、前方側から連続して順に、押ボタン３の押込操作部３２を収容するための押込操作部用収容部１３ａと、押ボタン３の押ボタン本体部３０を収容するための押ボタン本体部用収容部１３ｂと、付勢手段４を収容するための付勢手段用収容部１３ｃとを含んでいる。
押込操作部用収容部１３ａの形状（すなわち、収容面の円周形状）は、押ボタン３の押込操作部３２の外周形状と略同一であることが好ましい。押込操作部用収容部１３ａの軸方向の長さ（図４の矢印Ａの距離）を、押ボタン３を押し込む程度を調節するために、押込操作部３２の軸方向の長さ（図４の矢印Ｂの距離）よりも長くしたり、短くしたりすることもできる。
押ボタン本体部用収容部１３ｂの形状（すなわち、収容面の円周形状）は、押ボタン３の押ボタン本体部３０の外周形状と略同一であることが好ましい。押ボタン本体部用収容部１３ｂの軸方向の長さ（図４の矢印Ｃの距離）を、押ボタン３を押し込む程度を調整するために、押ボタン本体部３０の軸方向の長さ（図４の矢印Ｄの距離）よりも長くしたり、短くしたりすることもできる。
付勢手段用収容部１３ｃの形状（すなわち、収容面の円周形状）は、（外力を加えない状態での）付勢手段４の外周形状と略同一であることが好ましい。付勢手段用収容部１３ｃの軸方向（図４の矢印Ｅの距離）の長さを、押ボタン３を押し込む程度を調整するために、付勢手段４の軸方向の長さ（図４の矢印Ｆの距離）よりも長くしたり、短くしたりすることもできる。
【００２１】
ホルダー本体１のヘッド部２５には、その上側外表面２５ａから押ボタン本体部用収容部１３ｂの収容面１４にわたって、歯科用工具５２の把持部５３を挿通するための上側貫通孔１５が設けられている。この上側貫通孔１５の半径方向の断面形状（図４の矢印Ｇ）は、略真円形状又は略楕円形状であることが好ましく、歯科用工具５２の把持部５３の半径方向の断面形状に合わせて適宜変更することができる。
更に、ホルダー本体１のヘッド部２５には、その下側外表面２５ｂから押ボタン本体部用収容部１３ｂの収容面１４にわたって、歯科用工具５２の把持部５３を挿通するための下側貫通孔１７が設けられている。この下側貫通孔１７の半径方向の断面形状（図４の矢印Ｈ）は、略真円形状又は略楕円形状であることが好ましく、歯科用工具５２の把持部５３の半径方向の断面形状に合わせて適宜変更することができる。
上側貫通孔１５及び下側貫通孔１７の深さ方向（すなわち、半径方向に対して垂直方向）の長さは、歯科用工具５２の把持部５３の軸方向の長さに応じて、適宜変更することができる。
【００２２】
下側貫通孔１７の前方側において、ヘッド部２５の下側外表面２５ｂから押ボタン本体部用収容部１３ｂの収容面１４にわたって、固定具４２を取り付けたり取り外したりすることのできる固定具用挿通孔１９が設けられている。この固定具用挿通孔１９の収容面の形状は、固定具４２を固定具用挿通孔１９に締結させるために、固定具４２のヘッド部４４と挿入部４３の（ヘッド部４４側の）一部との形状と略同一であることが好ましい。
【００２３】
ホルダー本体１のヘッド部２５の外観形状は、押込操作部用収容部１３ａと、押ボタン本体部用収容部１３ｂと、付勢手段用収容部１３ｃと、上側貫通孔１５と、下側貫通孔１７と、固定具用挿通孔１９とを主に設けることができることが可能であれば、その形状は限定されないが、略角柱状（例えば、略四角柱状、略六角柱状）又は略円柱状（例えば、略真円柱状、略楕円柱状）の形状が好ましい。
【００２４】
ホルダー本体１のネック部２６の内部には、前方側から後方側にかけて水通路２１が設けられており、更に、水通路２１の前方先端部には略円柱状の水パイプ２３が設けられている。この水パイプ２３は、水通路２１から流れてきた水をホルダー本体１の外部に放出するためのものである。
【００２５】
ネック部２６の外観形状は、水通路２１を主に設けることができることが可能であれば、その形状は限定されないが、略角柱状（例えば、略三角柱状、略四角柱状、略六角柱状）又は略円柱状（例えば、略真円柱状、略楕円柱状）の形状が好ましい。
【００２６】
押ボタン３の押ボタン本体部３０には、その軸方向の後方側において、押ボタン本体部３０の上側外表面３０ａから下側外表面３０ｂにわたって、歯科用工具５２の把持部５３を挿通するための内側貫通孔３４が設けられている。この内側貫通孔３４の半径方向の断面形状（図４の矢印Ｉ）は、略真円形状又は略楕円形状であることが好ましい。また、歯科用工具５２の把持部５３の半径方向の断面形状に合わせて適宜変更することができる。
更に、押ボタン本体部３０の下側外表面３０ｂには、内側貫通孔３４の前方側において、固定具４２の挿入部先端４３ａと挿入部４３の（挿入部先端４３ａ側の）一部とを収納するための挿入部先端用収納部３６が設けられている。
内側貫通孔３４の深さ方向（すなわち、半径方向に対して垂直方向）の長さは、歯科用工具５２の把持部５３の軸方向の長さに応じて、適宜変更することができる。
押ボタン３と付勢手段４とを容易に一体化するために、押ボタン３の後端部に突起部３８を設けることが好ましい。
【００２７】
図５は、外力を加えない状態での一部切欠き側面断面図であり、図６は、図５に示すホルダー１０のＡ−Ａ’線断面図である。更に、図７は、押ボタン３を最大限押し込んだ状態での一部切欠き側面断面図である。
押ボタン３及び付勢手段４は、図５に示すように、ホルダー本体１のヘッド部２５に設けられた押ボタン用収容部１３（図２及び図４参照）に収容されており、更に、押ボタン３は、ホルダー本体１のヘッド部２５の前方端部に向かって（すなわち、図５の矢印Ｊの方向に）付勢手段４によって付勢されている。
押ボタン３及び付勢手段４のそれぞれの中心軸は、ホルダー本体１のヘッド部２５の中心軸（図５の一点鎖線Ｋ）に対して平行に配置されている。したがって、押ボタン３の操作方向は、ホルダー本体１のヘッド部２５の中心軸に対して平行となる。すなわち、押ボタン３は、ヘッド部２５の軸方向に沿って移動させることができる。なお、図５に示す実施態様では、ヘッド部２５、押ボタン３及び付勢手段４は、全ての中心軸が一致している。
【００２８】
固定具４２の挿入部先端４３ａを収納する挿入部先端用収納部３６は、図７に示すように、ヘッド部２５の中心軸の方向の長さ（図７の矢印Ｌの距離）を挿入部先端４３ａの半径方向の長さ（図７の矢印Ｍの距離）よりも長くしているので、押ボタン３は、ヘッド部２５の軸方向に沿って押ボタン用収容部１３を移動可能となる。更に、図５に示すように、押ボタン３がヘッド部２５の前方端部に向かって移動すると、固定具の挿入部先端４３ａと押ボタン３の挿入部先端用収納部３６とが接触するので、押ボタン３は、付勢手段４の付勢力によってホルダー本体１から飛び出すことはない。
固定具４２は、図５に示すように、主として、押ボタン３がホルダー本体１から飛び出すことを防止する機能と、図３に示すようにストッパー４０をホルダー本体１に取り付ける機能とを有している。また、固定具４２は、略円柱状の押ボタン本体部３０が略円柱状の押ボタン用収容部１３内において時計周り及び／又は反時計周りに空回りするのを防止する機能も有している。
固定具４２の差込み方向は、ヘッド部２５の軸方向に対して垂直方向となる。
固定具４２を複数（例えば、２個）用意して、一方の固定具は、押ボタン３がホルダー本体１から飛び出すことを防止するために使用して、もう一方の固定具は、ストッパー４０をホルダー本体１に取り付けるために使用することもできる。
【００２９】
上側貫通孔１５の深さ方向の中心軸（図５の一点鎖線Ｎ）、内側貫通孔３４の深さ方向の中心軸（図５の一点鎖線Ｏ）、及び下側貫通孔１７の深さ方向の中心軸（図５の一点鎖線Ｐ）は、それぞれ、ホルダー本体１のヘッド部２５の中心軸（図５の一点鎖線Ｋ）に対して略垂直方向であることが好ましい。
上側貫通孔１５、内側貫通孔３４、及び下側貫通孔１７の半径方向の長さについては、全ての貫通孔の半径方向の長さを略同一にしたり、或いは内側貫通孔３４の半径方向の長さを上側貫通孔１５及び下側貫通孔１７の各半径方向の長さよりも長くしたりすることができる。貫通孔に対する歯科用工具５２の把持部５３の挿通性を考慮すると、内側貫通孔３４の半径方向の長さを上側貫通孔１５及び下側貫通孔１７の半径方向の各長さよりも長くすることが好ましい。
歯科用工具５２の把持部５３の形状に合わせて、上側貫通孔１５、内側貫通孔３４、及び下側貫通孔１７の半径方向の形状及び／又は深さ方向の長さを種々変更することができる。
【００３０】
押ボタン３の押し込み易さを考慮すると、押込操作部３２の半径方向の長さ（図５の矢印Ｑ）は、押ボタン本体部３０の半径方向の長さ（図５の矢印Ｒ）よりも長くすることが好ましい。もちろん、押込操作部３２の半径方向の長さを、押ボタン本体部３０の半径方向の長さと略同一にしたり、短くしたりすることもできる。
【００３１】
水パイプ２３は、歯科用工具５２をホルダー本体１に取り付けたり取り外したりする作業を妨害しない位置に設けられている。水パイプ２３は、ホルダー本体１のヘッド部２５の中心軸（図５の一点鎖線Ｋ）に対して斜め前方下側の方向に配置されている。このような配置によって、ホルダー本体１に取り付けた歯科用工具５２の刃部５４に対して、水パイプ２３を介して水通路２１からの水を掛けたり添わせたりすることが可能となる。
歯科用工具５２がホルダー本体１に取り付けられた場合において、歯科用工具５２の付近にストッパー４０が配置されることとなる。すなわち、ストッパー４０と歯科用工具５２との距離が短いので、歯科用ハンドピースの振動に異常である場合には、歯科用工具５２とストッパー４０とが接触するので、歯科用ハンドピースの振動の異常に直ぐに気付くことが可能となる。
【００３２】
図８は、上側貫通孔１５、内側貫通孔３４、及び下側貫通孔１７によって形成される（歯科用工具を挿通するための）連絡路４７の説明図であり、そして、図９は、その連絡路４７による歯科用工具５２の保持方法の説明図である。特に、図８は、本発明の原理を説明する目的の模式図であり、各部分間や各部品間の相対的な寸法比は、正確なものではなく、誇張して示している。
図８における（Ａ−１）は、押ボタン３に対して外力を加えない状態での上側貫通孔１５、内側貫通孔３４、及び下側貫通孔１７によって形成される連絡路４７（点線で示す部分）を示している。（Ａ−２）は、（Ａ−１）に示す状態において、ホルダー１０を上側から観察した外観斜視図である。図８における（Ｂ−１）及び（Ｂ−２）は、付勢手段４に逆らって押ボタン３を或る程度押し込んだ状態であって、上側貫通孔１５、内側貫通孔３４、及び下側貫通孔１７の深さ方向の全ての中心軸が一致している状態の連絡路４７の説明図である。そして、図８における（Ｃ−１）及び（Ｃ−２）は、押ボタン３を最大限押し込んだ状態での連絡路４７の説明図である。
なお、図８に示す実施態様では、上側貫通孔１５、内側貫通孔３４、及び下側貫通孔１７の半径方向の断面形状は、それぞれ、略同一の真円形状であり、更に、歯科用工具５２の把持部５３の半径方向の外周形状と同一である。また、上側貫通孔１５、内側貫通孔３４、及び下側貫通孔１７から形成される連絡路４７の半径方向の断面形状は、歯科用工具５２の把持部５３が挿通可能なように、把持部５３の半径方向の断面形状と同一であるか又は大きい。
【００３３】
図８における（Ａ−１）及び（Ａ−２）に示す状態では、ホルダー１０を上側から観察すると、（Ａ−２）に示すように、上側貫通孔１５の真円の内側に押ボタン本体部３０の上側外表面３０ａの一部が入り込んでいる。すなわち、連絡路４７の半径方向の断面形状は、歯科用工具５２の把持部５３の半径方向の断面形状５３ａよりも小さくなっている。このため、歯科用工具５２の把持部５３を連絡路４７に挿通させることはできない。
図８における（Ｂ−１）及び（Ｂ−２）に示す状態では、上側貫通孔１５、内側貫通孔３４、及び下側貫通孔１７がそのまま連絡路４７を形成しており、連絡路４７の半径方向の断面形状は、歯科用工具５２の把持部５３の半径方向の断面形状５３ａと同一であるか又は大きい。このため、歯科用工具５２の把持部５３を挿通させることができる。
図８における（Ｃ−１）及び（Ｃ−２）に示す状態では、図８における（Ａ−１）及び（Ａ−２）と同様に、歯科用工具５２の把持部５３を連絡路４７に挿通させることはできない。
図８における（Ｂ−１）及び（Ｂ−２）に示す状態を、押ボタン３を最大限押し込んだ状態にすることもできる。
【００３４】
図８における（Ｂ−１）及び（Ｂ−２）に示す状態で歯科用工具５２の把持部５３を挿通した後に、押ボタンに対する外力を解除した状態を、図９に示す。
歯科用把持部の挿入側端部５３ｂは、上側貫通孔１５の内周面１５ａと内側貫通孔３４の内周面３４ａとによって固定されている。具体的には、挿入側端部５３ｂは、付勢手段４の付勢力（図９の矢印Ｓ）によって押ボタン３の内周面３４ａから伝達される力（図９の矢印Ｔ）と、（その力に抵抗して発生する）上側貫通孔１５の内周面１５ａから伝達される力（図９の矢印Ｕ）とによって固定される。
歯科用工具５２の刃部保持側端部５３ｃは、下側貫通孔１７の内周面１７ａと内側貫通孔３４の内周面３４ａとによって固定されている。具体的には、保持側端部５３ｃは、付勢手段４の付勢力（図９の矢印Ｓ）によって押ボタン３の内周面３４ａから伝達される力Ｔと、（その力に抵抗して発生する）下側貫通孔１７の内周面１７ａから伝達される力（図９の矢印Ｖ）とによって固定される。
【００３５】
歯科用工具５２の把持部５３は、上側貫通孔１５の内周面１５ａと内側貫通孔３４の内周面３４ａと下側貫通孔１７の内周面１７ａとによって固定させているので、図９において点線で表されている歯科用工具５２に示すように、歯科用工具５２の把持部５３を上側貫通孔１５から外部に突き出して配置することができる。すなわち、歯科用工具５２の配置位置を微調整することができる。
【００３６】
このような固定方法を採用しているので、歯科用工具５２の把持部５３に溝を設けるような細工をする必要が無い。つまり、市販の歯科用工具を簡易に取り付けることが可能である。
【００３７】
図１０は、本発明によるホルダー１０と従来の押ボタン式ホルダーとを比較するための説明図である。
本発明によるホルダー１０への歯科用工具５２の着脱作業は、図１０の（Ａ−１）に示すように、一方の手の手のひらと４本の指とでハンドピース本体５０を握り、残った親指で押ボタン３を押し込むことによって簡易に行うことができる。すなわち、もう一方の手で、歯科用工具５２を持つことができる。
ハンドピース本体５０を手のひらと４本の指とで握っているので残った親指に力が入りやすくなり、この結果、強い力で押ボタン３を押し込むことが可能となる。
ハンドピース本体５０の中心軸（図１０の一点鎖線Ｗ）と押ボタン３の中心軸（図１０の一点鎖線Ｘ）とで形成される角度（図１０の矢印Ｙ）が、０°〜４５°、好ましくは１５°〜２５°、特には略２０°である。１５°〜２５°である場合には、親指で押ボタン３を非常に力強く押し込むことが可能となる。特に、略２０°である場合には、親指で押ボタン３を非常に極めて力強く押し込むことが可能となる。この理由としては、親指の自然な動きの方向（図１０の矢印Ｚ）と、押ボタン３の中心軸（図１０の一点鎖線Ｘ）とが略一致することが挙げられる。
歯科用工具５２をホルダー１０に強固に固定するために付勢手段４の付勢力を高くした場合であっても、親指で押ボタン３を力強く押し込むことができるので、ホルダー１０への歯科用工具５２の着脱作業を簡易に行うことができる。すなわち、付勢手段４の付勢力は、歯科用工具５２の着脱作業を考慮しないで、適宜変更することができる。
【００３８】
これに対して、従来の押ボタン式ホルダー８０の場合には、図１０の（Ｂ−１）に示すように、一方の手の親指と人差し指とでホルダー本体８１を挟むようにして、かつ手のひらを空中に浮かせた状態で押ボタン８２を押す必要があるので、場合により、押ボタン８２に指の力を十分に伝達させることができない可能性がある。更に、場合により、図１０の（Ｂ−１）に示すように、ハンドピース本体をもう一方の手で保持する必要が生じてしまい、歯科用工具を持つことができなくなる恐れがある。
【００３９】
本発明によるホルダー１０は、図１０の（Ａ−２）に示すように、ホルダー本体１のヘッド部２５の中心軸に対して、押ボタン３及び付勢手段４の中心軸が平行になるように配置しているので、ホルダー１０の半径方向の長さ（図１０の矢印ａの距離）を短くすることができる。
これに対して、従来の押ボタン式ホルダー８０の場合には、図１０の（Ｂ−２）に示すように、ホルダー本体８１の軸方向に対して垂直に、押ボタン８２及びバネ８３が配置されているので、ホルダー本体８１の半径方向の長さ（図１０の矢印ｂの距離）が長くなってしまう。
【符号の説明】
【００４０】
１・・・ホルダー本体；３・・・押ボタン；４・・・付勢手段；１０・・・ホルダー；
１３・・・押ボタン用収容部；１３ａ・・・押込操作部用収容部；
１３ｂ・・・押ボタン本体部用収容部；１３ｃ・・・付勢手段用収容部；
１４・・・押ボタン本体部用収容部の収容面；１５・・・上側貫通孔；
１５ａ・・・上側貫通孔の内周面；１７・・・下側貫通孔；
１７ａ・・・下側貫通孔の内周面；１９・・・固定具用挿通孔；２１・・・水通路；
２３・・・水パイプ；２５・・・ヘッド部；２５ａ・・・上側外表面；
２５ｂ・・・下側外表面；２６・・・ネック部；２７・・・連結部；
３０・・・押ボタンの本体部；３０ａ・・・押ボタン本体部の上側外表面；
３０ｂ・・・押ボタン本体部の下側外表面；３２・・・押込操作部；
３４・・・内側貫通孔；３４ａ・・・内側貫通孔の内周面；
３６・・・挿入部先端用収納部；３８・・・突起部；４０・・・ストッパー；
４１・・・アーム部；４２・・・固定具；４３・・・挿入部；
４３ａ・・・挿入部の先端；４４・・・ヘッド部；４７・・・連絡路；
５０・・・歯科用ハンドピース本体；５２・・・歯科用工具；５３・・・把持部；
５３ａ・・・把持部の半径方向の形状；５３ｂ・・・把持部の挿入側端部；
５３ｃ・・・把持部の刃部保持側端部；５４・・・刃部；
８０・・・従来の押ボタン式ホルダー；８１・・・ホルダー本体；８２・・・押ボタン；
８３・・・バネ；８４・・・押ボタン用固定具；８５・・・貫通孔；
８７・・・歯科用工具；８７ａ・・・把持部；８７ｂ・・・刃部；
９０・・・保持手段；９１・・・振動部；９２・・・可動部材；
９３・・・円錐状の凹部；９４・・・歯科用工具用差込孔；９５・・・ロッキング部；
９６・・・ばね；９８・・・歯科用工具；９８ａ・・・軸部；９８ｂ・・・刃部；
９８ｃ・・・環状溝；９８ｄ・・・凹部；９８ｅ・・・球状体；
９８ｆ・・・媒体用通路；
【図１】
2019162286.tif 000003
【図２】
2019162286.tif 000004
【図３】
2019162286.tif 000005
【図４】
2019162286.tif 000006
【図５】
2019162286.tif 000007
【図６】
2019162286.tif 000008
【図７】
2019162286.tif 000009
【図８】
2019162286.tif 000010
【図９】
2019162286.tif 000011
【図１０】
2019162286.tif 000012
【図１１】
2019162286.tif 000013
【図１２】
2019162286.tif 000014